(57)【特許請求の範囲】
【請求項１】
放送番組の音声に関する補助情報に基づいて受信した音声データから所定のチャンネルで再生させるダイアログ音声を示す音声データを検出するダイアログ検出部と、
複数のチャンネルのうち前記ダイアログ音声を再生するダイアログ専用チャンネルの音量と、その他のチャンネルの音量をそれぞれ制御する音量制御部と、
前記放送番組の視聴に関する関連情報に基づいて前記ダイアログ専用チャンネルの音量を定める音量設定部と、
を備え、
前記補助情報は、前記関連情報として前記ダイアログ音声の分類に応じた前記ダイアログ専用チャンネルの相対音量を示す音量情報を含み、
前記音量設定部は、前記音量情報に基づいて前記ダイアログ専用チャンネルの音量を定める
受信装置。
【請求項２】
放送番組の音声に関する補助情報に基づいて受信した音声データから所定のチャンネルで再生させるダイアログ音声を示す音声データを検出するダイアログ検出部と、
複数のチャンネルのうち前記ダイアログ音声を再生するダイアログ専用チャンネルの音量と、その他のチャンネルの音量をそれぞれ制御する音量制御部と、
前記放送番組の視聴に関する関連情報に基づいて前記ダイアログ専用チャンネルの音量を定める音量設定部と、
を備え、
前記音量設定部は、前記関連情報として前記放送番組の属性を示す番組情報に応じた前記ダイアログ専用チャンネルの相対音量に基づいて前記ダイアログ専用チャンネルの音量を定める
受信装置。
【請求項３】
前記音量設定部は、前記関連情報としてユーザの属性を示すユーザ情報に対応付けられた前記番組情報に基づいて前記ダイアログ専用チャンネルの音量を定める
請求項２に記載の受信装置。
【請求項４】
前記音量設定部は、前記関連情報として前記放送番組を提示する日時を示す日時情報に基づいて前記ダイアログ専用チャンネルの音量を定める請求項１から請求項３のいずれか一項に記載の受信装置。
【請求項５】
前記音量設定部は、前記関連情報として音声の再生環境を示す環境情報に基づいて前記ダイアログ専用チャンネルの音量を定める請求項１から請求項４のいずれか一項に記載の受信装置。
【請求項６】
前記補助情報は、前記ダイアログ音声が提供される地域を示す地域情報を含み、
前記ダイアログ検出部は、前記受信装置の設置場所が、前記地域情報が示す地域に属する前記音声データを検出する請求項１から請求項５のいずれか一項に記載の受信装置。
【請求項７】
受信装置における受信方法であって、
放送番組の音声に関する補助情報に基づいて受信した音声データから所定のチャンネルで再生させるダイアログ音声を示す音声データを検出するダイアログ検出過程と、
複数のチャンネルのうち前記ダイアログ音声を再生するダイアログ専用チャンネルの音量と、その他のチャンネルの音量をそれぞれ制御する音量制御過程と、
前記放送番組の視聴に関する関連情報に基づいて前記ダイアログ専用チャンネルの音量を定める音量設定過程と、
を有し、
前記補助情報は、前記関連情報として前記ダイアログ音声の分類に応じた前記ダイアログ専用チャンネルの相対音量を示す音量情報を含み、
前記音量設定過程は、前記音量情報に基づいて前記ダイアログ専用チャンネルの音量を定める過程を有する
受信方法。
【請求項８】
受信装置のコンピュータに、
放送番組の音声に関する補助情報に基づいて受信した音声データから所定のチャンネルで再生させるダイアログ音声を示す音声データを検出するダイアログ検出手順、
複数のチャンネルのうち前記ダイアログ音声を再生するダイアログ専用チャンネルの音量と、その他のチャンネルの音量をそれぞれ制御する音量制御手順、
前記放送番組の視聴に関する関連情報に基づいて前記ダイアログ専用チャンネルの音量を定める音量設定手順、
を実行させるためのプログラムであって、
前記補助情報は、前記関連情報として前記ダイアログ音声の分類に応じた前記ダイアログ専用チャンネルの相対音量を示す音量情報を含み、
前記音量設定手順は、前記音量情報に基づいて前記ダイアログ専用チャンネルの音量を定める手順を有する
プログラム。
【発明の詳細な説明】
【技術分野】
【０００１】
本発明は、受信装置、受信方法、及びプログラムに関する。
【背景技術】
【０００２】
デジタルテレビジョン放送において、多チャンネル音声の一部のチャンネルについて、他のチャンネルと独立した音量制御を可能とするダイアログ専用チャンネルを設けることが検討されている。ダイアログ専用チャンネルには、番組の一部の要素としてダイアログ音声が提供される。ダイアログ音声対応の受信装置は、ダイアログ音声が提供されていることを認識し、全チャンネルについての音量調整とは別にダイアログ専用チャンネルについて音量調整を可能とする。このことにより、ユーザはダイアログ音声の音量を所望の聞きやすい音量に調整することができる。また、番組において複数の音声コンテンツがダイアログ音声として提供されることがある。ユーザは、複数の音声コンテンツからいずれか１つを選択し、任意に切り替えることができる。
【０００３】
例えば、特許文献１には、ダイアログ音量制御部、主音量制御部及びダイアログ音量制御部ならびに主音量制御部と結合され、ダイアログ音量及び主音量をそれぞれ個別に調節するためのダイアログ音量調節信号及び主音量調節信号を個別に生成するように構成される回路部を含むことを特徴とする装置について記載されている。
【先行技術文献】
【特許文献】
【０００４】
【特許文献１】特表２０１０−５１５２９０号公報
【発明の概要】
【発明が解決しようとする課題】
【０００５】
しかしながら、ダイアログ音声の聞きやすさは、その他の音声の音量との関係の他、番組の種別や周囲環境などの視聴に関連する要因によっても異なる可能性がある。そのため、ユーザはダイアログ音声を受聴する際の音量の目標が明らかではないことがある。他方、ダイアログ音声の音量をその都度調節することはユーザにとり煩雑である。また、ダイアログ音声として複数の音声コンテンツが提供される場合、ユーザは、いずれの音声コンテンツを選択すべきか明らかではないことがある。
【０００６】
本発明は、上記の課題に鑑みてなされたものであって、ダイアログ音声の利便性を向上させることができる受信装置、受信方法、及びプログラムを提供することを目的としている。
【課題を解決するための手段】
【０００７】
本発明の一態様は、放送番組の音声に関する補助情報に基づいて受信した音声データから所定のチャンネルで再生させるダイアログ音声を示す音声データを検出するダイアログ検出部と、複数のチャンネルのうち前記ダイアログ音声を再生するダイアログ専用チャンネルの音量と、その他のチャンネルの音量をそれぞれ制御する音量制御部と、前記放送番組の視聴に関する関連情報に基づいて前記ダイアログ専用チャンネルの音量を定める音量設定部と、を備え、前記補助情報は、前記関連情報として前記ダイアログ音声の分類に応じた前記ダイアログ専用チャンネルの相対音量を示す音量情報を含み、前記音量設定部は、前記音量情報に基づいて前記ダイアログ専用チャンネルの音量を定める受信装置である。
【発明の効果】
【０００８】
本発明の一態様によれば、ダイアログ音声の利便性を向上させることができる。
【図面の簡単な説明】
【０００９】
【図１】第１の実施形態に係る放送システムの概略ブロック図である。
【図２】ダイアログ音声を説明するための図である。
【図３】ダイアログ音声の音量調整を説明するための図である。
【図４】音声データのストリームの例を示す図である。
【図５】第１の実施形態に係る補助情報のデータ構成を示す図である。
【図６】ダイアログ分類テーブルの例を示す図である。
【図７】ダイアログ分類デフォルトテーブルの例を示す図である。
【図８】第１の実施形態に係る受信装置の構成を示す概略ブロック図である。
【図９】第１の実施形態に係る受信処理を示すフローチャートである。
【図１０】第２の実施形態に係る受信処理を示すフローチャートである。
【図１１】第３の実施形態に係る受信処理を示すフローチャートである。
【図１２】第４の実施形態に係る受信処理を示すフローチャートである。
【図１３】第５の実施形態に係る受信処理を示すフローチャートである。
【図１４】第６の実施形態に係る補助情報のデータ構成を示す図である。
【図１５】第６の実施形態に係る受信処理を示すフローチャートである。
【図１６】第７の実施形態に係る放送システムの概略ブロック図である。
【図１７】第７の実施形態に係る受信装置の構成を示す概略ブロック図である。
【発明を実施するための形態】
【００１０】
（第１の実施形態）
以下、本発明の第１の実施形態について、図面を参照して説明する。
図１は、本実施形態に係る放送システム１の概略ブロック図である。
放送システム１は、送信装置１０と、受信装置３０とを含んで構成される。放送システム１では、一般に送信装置１０、受信装置３０が、それぞれ複数個存在しうる。但し、以下では説明を簡潔にするため、送信装置１０の個数、受信装置３０の個数が、それぞれ１個である場合を例にする。
【００１１】
放送システム１は、放送番組を構成するコンテンツを示す番組データを所定の多重化・伝送方式を用いて伝送するシステムである。コンテンツとは、音声、映像、などの放送番組の構成要素であり、受信装置３０により提示される情報である。番組データには、放送番組の音声を示す音声データと、映像を示す映像データが含まれる。以下の説明では、多重化・伝送方式として、主にＭＰＥＧ−２（Ｍｏｖｉｎｇ  Ｐｉｃｔｕｒｅ  Ｅｘｐｅｒｔｓ  Ｇｒｏｕｐ−２）システムで規定された方式が用いられる場合を例にする。
【００１２】
送信装置１０は、番組データと放送番組の構成を示す構成情報をそれぞれ取得し、取得した番組データと付加情報を所定の多重化方式を用いて多重化した多重化データを生成する。取得された番組データは、符号化された音声データや映像データを含むデータである。送信装置１０は、音声データのストリーム、映像データのストリームをそれぞれエレメンタリストリーム（ＥＳ：Ｅｌｅｍｅｎｔａｒｙ  Ｓｔｒｅａｍ）として多重化し、番組データとしてトランスポートストリーム（ＴＳ：Ｔｒａｎｓｐｏｒｔ  Ｓｔｒｅａｍ）を生成する。本実施形態では、放送番組のコンテンツにダイアログ音声が含まれる。ダイアログ音声は、複数のチャンネルの音声（多チャンネル音声）のうち、所定のチャンネルで再生させる音声である。ダイアログ音声は、通常の放送の音声（放送音声）と同一のストリームで送信されることも、別個のストリームで送信されることもある。ダイアログ音声については後述する。
【００１３】
構成情報には、個々の放送番組の構成要素であるコンテンツを示すプログラム情報と、放送番組の名称、放送日時、放送番組のジャンル、出演者など、個々の放送番組に関する番組情報が含まれる。送信装置１０は、プログラム情報を示すプログラムマップテーブル（ＰＭＴ：Ｐｒｏｇｒａｍ  Ｍａｐ  Ｔａｂｌｅ）と、番組情報を示すイベント情報テーブル（ＥＩＴ：Ｅｖｅｎｔ  Ｉｎｆｏｒｍａｔｉｏｎ  Ｔａｂｌｅ）を多重化し、構成情報としてプログラム特定サービス情報（ＰＳＩ／ＳＩ：Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を生成する。送信装置１０は、番組データと構成情報を多重化して、多重化データを生成する。送信装置１０は、生成した多重化データを搬送する放送波を受信装置３０に放送伝送路１１を介して送信する。送信装置１０は、例えば、放送事業者の放送設備を構成する送信装置である。
【００１４】
放送伝送路１１は、各種のデータを同時に複数の受信装置３０に対して一方的に伝送する伝送路である。放送伝送路１１は、放送衛星１２を含んで構成される。放送衛星１２は、送信装置１０が送信した放送波を中継し、中継した放送波を受信装置３０に送信する中継装置（図示せず）を搭載する。放送伝送路１１は、その一部に通信回線、例えば、送信装置１０から送信アンテナまでの間を有線又は無線で接続する通信ネットワークを含んでもよい。なお、放送伝送路１１を介して各種のデータを伝送（送信、受信）することを「放送で伝送（送信、受信）する」呼ぶ。
【００１５】
受信装置３０は、送信装置１０から放送伝送路１１を介して多重化データを受信し、受信した多重化データに含まれる番組データで表される放送番組のコンテンツを提示可能な電子機器である。受信装置３０は、構成情報に基づいて多重化データから分離した音声データが示す音声を再生し、映像データが示す映像を表示する。受信装置３０は、例えば、テレビジョン受像機、その他テレビジョン放送の受信機能を備える電子機器である。
【００１６】
受信装置３０は、音声データが示す多チャンネル音声がダイアログ音声を含んだ音声データであることを当該音声データに付加された補助情報に基づいて検出する。受信装置３０は、複数のチャンネルのうちダイアログ音声を再生するダイアログ専用チャンネルの音量と、その他のチャンネルの音量をそれぞれ制御する。また、受信装置３０は、放送番組の視聴に関する関連情報に基づいてダイアログ専用チャンネルの音量を定める。従って、ユーザの操作によらず、ダイアログ音声の音量が関連情報に応じた音量に設定される。ユーザが目標の音量を判断できない場合や、判断できても操作できない場合であっても、デフォルトのダイアログの音量の設定に際してユーザの操作を特段要しないので、ダイアログ音声の利便性が向上する。関連情報として補助情報に含まれるダイアログ音声の種別に応じた音量を示す音量情報、放送番組の属性を示す番組情報、ユーザの属性を示すユーザ情報、放送番組の放送日時を示す日時情報、音声の再生環境を示す環境情報のいずれか又はそれらの組み合わせが利用可能である。また、補助情報にはダイアログ音声が提供される地域を示す地域情報が含まれることがある。その場合、受信装置３０は、自装置の設置場所がその地域情報が示す地域に属するダイアログ音声を検出する。そのため、ユーザは、放送番組を視聴する地域に応じたダイアログ音声を受聴することができる。
【００１７】
（ダイアログ音声）
次に、ダイアログ音声について説明する。
図２は、ダイアログ音声を説明するための図である。
ダイアログ音声とは、複数のチャンネルのうち所定のチャンネルを用いて再生される音声である。ダイアログ音声は、通例２ｃｈ（ｃｈａｎｎｅｌ）よりも多くのチャンネルを有するサラウンド音声の一部として用いられる。ダイアログとは、本来、ドラマ、映画などの演芸のせりふを意味する語であるが、本実施形態では、ダイアログ音声には、せりふに限らず、主に人間が発話した音声もしくは合成された音声であって、放送番組の内容、要点、意味、背景などの内容を表す音声も含まれる。ダイアログ音声には、例えば、スポーツ放送、演芸番組、ニュース番組などの番組の解説音声が含まれる。また、ダイアログ音声は、外国語で発話された外国語音声やそれらを含む多言語音声として提供されることがある。また、ダイアログ音声は、視覚障害や聴覚障害などの知覚障害を補完するために用いられることがある。視覚障害用の音声として、例えば、映像が表現する情報を表す解説音声が用いられる。聴覚障害用の音声として、例えば、通常の音声よりも発話速度が遅い音声や、通常の音声よりも音量が大きい音声が用いられる。
【００１８】
図２は、受信装置３０が多チャンネル音声の再生方式としてサラウンド５．１ｃｈを用いる場合を例にする。サラウンド５．１ｃｈは、所定の受聴位置Ｏｓを基準として前方正面（Ｃ：Ｃｅｎｔｅｒ）、前方左（Ｌ：Ｌｅｆｔ）、前方右（Ｒ：Ｒｉｇｈｔ）、後方左（ＬＳ：Ｌｅｆｔ  Ｓｕｒｒｏｕｎｄ）、後方右（ＲＳ：Ｒｉｇｈｔ  Ｓｕｒｒｏｕｎｄ）に設置された５個のスピーカと、所定の周波数よりも低い周波数帯域の音声である低域効果音（ＬＦＥ）専用のスピーカを用いる再生方式である。前方正面（Ｃ）、前方左（Ｌ）、前方右（Ｒ）、後方左（ＬＳ）、後方右（ＲＳ）、低域効果音（ＬＦＥ）の各チャンネル又はスピーカは、それぞれＦＣ（Ｆｒｏｎｔ  Ｃｅｎｔｅｒ）、ＦＬ（Ｆｒｏｎｔ  Ｌｅｆｔ）、ＦＲ（Ｆｒｏｎｔ  Ｒｉｇｈｔ）、ＳＬ（Ｓｕｒｒｏｕｎｄ  Ｌｅｆｔ）、ＳＲ（Ｓｕｒｒｏｕｎｄ  Ｒｉｇｈｔ）、ＳＷ（Ｓｕｂ−ｗｏｏｆｅｒ）と呼ばれることがある。
【００１９】
ダイアログ音声を再生するチャンネルであるダイアログ専用チャンネルとして、通例、前方正面（Ｃ）のチャンネルが用いられ、低域効果音（ＬＦＥ）のチャンネルは用いられない。これは、ユーザに対してダイアログ音声を前方正面に知覚させることで、ダイアログ音声が表すせりふ、解説音声などの内容を明瞭に把握させるためである。従って、所定の内容を有する音声をダイアログ音声として用いることで、その内容をユーザに容易に把握させることができる。ダイアログ音声は、例えば、ユーザの言語、嗜好等の諸要件に応じてその内容に注目させること、ユーザの聴力を補完すること、残響・騒音などの視聴環境の影響を低減すること、を目的として用いられることが期待される。
【００２０】
（ダイアログ音声の音量調整）
次に、ダイアログ音声の音量調整について説明する。
図３は、ダイアログ音声の音量調整を説明するための図である。
受信装置３０は、複数のチャンネルのうちダイアログ音声を再生するダイアログ専用チャンネルの音量と、その他のチャンネルの音量を個々に制御する。図３に示す例では、ダイアログ専用チャンネルの音量は、その他のチャンネルの音量との差分である相対レベルによって指定される。縦軸、横軸は、それぞれ音量のレベル、相対レベルを示す。図３は、左から右に順に相対レベルが＋１０ｄＢ、＋７ｄＢ、０ｄＢ、−３ｄＢである場合におけるダイアログ専用チャンネル、その他のチャンネルの音量レベルをそれぞれ示す。ダイアログ専用チャンネルの音量レベル、その他のチャンネルの音量レベルは、それぞれ塗りつぶし、白抜きの棒グラフで表される。
【００２１】
図３に示す例では、全チャンネル共通の音量レベルの基準値は０ｄＢであり、相対レベルに関わらず音量レベルが基準値を超えないように制御される。０ｄＢより高い相対レベルではダイアログ専用チャンネルの音量レベルが基準値に固定され、相対レベルが高いほどその他のチャンネルの音量が低くなる。０ｄＢ未満の相対レベルではその他のチャンネルの音量が基準値に固定され、相対レベルが低いほどダイアログ専用チャンネルの音量が低い。例えば、相対レベルが＋１０ｄＢである場合、ダイアログ専用チャンネル、その他のチャンネルそれぞれの音量レベルは、それぞれ０ｄＢ、−１０ｄＢである。相対レベルが−３ｄＢである場合、ダイアログ専用チャンネル、その他のチャンネルそれぞれの音量レベルは、それぞれ−３ｄＢ、０ｄＢである。以下、ダイアログ専用チャンネルの音声の音量レベルをダイアログ音量と呼び、その他のチャンネルの音量レベルを他チャンネル音量と呼び、全チャンネル共通の音量レベルをチャンネル共通音量と呼ぶ。
【００２２】
（音声データのストリーム）
次に、音声データのストリームについて説明する。
図４は、音声データのストリームの例を示す図である。本実施形態では、送信装置１０が送信する音声データのストリームは、符号化された音声データに付加情報が付加されて構成されるビットストリームである。図４は、音声データのストリームがＬＡＴＭ／ＬＯＡＳ（Ｌｏｗ−ｏｖｅｒｈｅａｄ  ＭＰＥＧ−４  Ａｕｄｉｏ  Ｔｒａｎｓｐｏｒｔ  Ｍｕｌｔｉｐｌｅｘ／Ｌｏｗ  Ｏｖｅｒｈｅａｄ  Ａｕｄｉｏ  Ｓｔｒｅａｍ）ストリーム形式で構成されている場合を例にする。ＬＡＴＭ／ＬＯＡＳストリーム形式は、ＬＯＡＳ、ＬＡＴＭヘッダ、ＳＣＥ１（Ｓｉｎｇｌｅ  Ｃｈａｎｎｅｌ  Ｅｌｅｍｅｎｔ  １）、ＣＰＥ１（Ｃｈａｎｎｅｌ  Ｐａｉｒ  Ｅｌｅｍｅｎｔ  １）、ＣＰＥ２、ＬＦＥ、ＰＣＥ（Ｐｒｏｇｒａｍ  Ｃｏｎｆｉｇｕｒａｔｉｏｎ  Ｅｌｅｍｅｎｔ）、ＤＳＥ（Ｄａｔａ  Ｓｔｒｅａｍ  Ｅｌｅｍｅｎｔ）、ＴＥＲＭ（Ｔｅｒｍｉｎａｔｏｒ）の各領域を有する。
【００２３】
ＬＡＴＭヘッダには、符号化された音声データに関する音声設定情報（ＡｕｄｉｏＳｐｅｃｉｆｉｃＣｏｎｆｉｇ）として、チャンネル設定情報（ｃｈａｎｎｅｌＣｏｎｆｉｇｕｒａｔｉｏｎ）が含まれる。チャンネル設定情報には、設定値として再生方式（音声モード）を示す設定値が指定される。例えば、設定値「６」は、５．１ｃｈサラウンドを示し、設定値「１３」は、２２．２ｃｈサラウンドを示す。ＳＣＥ１、ＣＰＥ１、ＣＰＥ２及びＬＦＥには、符号化された音声データが格納される。ＳＣＥ１、ＬＦＥには、それぞれ前方正面（Ｃ）、低域効果音（ＬＦＥ）のチャンネルの音声データが格納される。ＣＰＥ１には、前方左（Ｌ）ならびに前方右（Ｒ）のチャンネルの音声データが格納され、ＣＰＥ２には、後方左（ＬＳ）ならびに後方右（ＲＳ）のチャンネルの音声データが格納される。ＰＣＥには、ＳＣＥ１、ＣＰＥ１、ＣＰＥ２及びＬＦＥと各チャンネルの対応関係やダイアログ情報の有無を示すエレメント構成情報が格納される。即ち、ストリームに含まれる音声データには、エレメント構成情報と補助情報が付加情報として付加される。
【００２４】
ダイアログ情報の有無は、エレメント構成情報に含まれるデータ要素（Ｄａｔａ  Ｅｌｅｍｅｎｔ）として補助情報要素（ｎｕｍ＿ａｓｓｏｃ＿ｄａｔａ＿ｅｌｅｍｅｎｔ）の設定値により指定される。例えば、設定値「１」は、ＤＳＥにおいてダイアログ情報が指定されていることを示し、設定値「０」は、ＤＳＥにおいてダイアログ情報が指定されていないことを示す。ＤＳＥには、ビットストリームシンタックスとしてダイアログ情報を記述した補助情報（ＭＰＥＧ４＿ａｎｃｉｌｌａｒｙ＿ｄａｔａ）が格納される。
【００２５】
次に、補助情報のデータ構成について説明する。
図５は、本実施形態に係る補助情報のデータ構成を示す図である。補助情報には、ダイアログ存在情報（ｅｘｔ＿ｄｉａｌｏｇｕｅ＿ｓｔａｔｕｓ）、ダイアログ分類情報（ｄｉａｌｏｇｕｅ＿ｃａｔｅｇｏｒｙ＿ｃｏｄｅ）及びダイアログ分類デフォルト利得情報（ｄｉａｌｏｇｕｅ＿ｃａｔｅｇｏｒｙ＿ｄｅｆａｕｌｔ＿ｇａｉｎ）が含まれる。
ダイアログ存在情報には、設定値としてダイアログ音声の有無を示す設定値が指定される。例えば、設定値「１」は、ダイアログ音声が存在することを示す。設定値「０」は、ダイアログ音声が存在しないことを示す。ダイアログ分類情報は、設定値としてダイアログ音声が属する分類（ジャンル）を示す設定値が指定される。ダイアログ分類デフォルト利得情報は、設定値として指定された分類に属するダイアログ音声に与えるデフォルトの利得を示す設定値が指定される。デフォルトの利得とは、具体的にはユーザによる指示を受けずにダイアログ音声に与えられる相対レベル又は増幅率である。
【００２６】
次に、ダイアログ分類情報で指定される指定値毎の分類を示すダイアログ分類テーブルの例について説明する。
図６は、ダイアログ分類テーブルの例を示す図である。図６に示す例では、設定値「００００」、「０００１」、「００１０」、「００１１」、「０１００」は、それぞれ、「聴覚障害」、「視覚障害」、「スポーツ解説」、「演芸解説」、「その他解説」を示す。受信装置３０は、ダイアログ分類テーブルを参照し、指定された設定値に対応する分類を、ダイアログ音声が属する分類として特定することができる。
【００２７】
次に、ダイアログ分類デフォルト利得情報で指定される指定値毎の分類を示すダイアログ分類デフォルト利得テーブルの例について説明する。
図７は、ダイアログ分類デフォルトテーブルの例を示す図である。図７に示す例では、設定値「００１１」、「０１０１」、「１０００」、「１０１０」は、それぞれ増幅率として「０．２５１」、「０．５０１」、「１」、「１．９９５」を示す。これらの増幅率は、それぞれ−１２ｄＢ、−６ｄＢ、０ｄＢ、＋６ｄＢの相対レベルに相当する。受信装置３０は、ダイアログ分類テーブルを参照し、指定された設定値に対応するデフォルトの増幅率又は相対レベルを、ダイアログ音声に与えられる初期の増幅率又は相対レベルとして特定することができる。
【００２８】
（受信装置の構成）
次に、受信装置３０の構成について説明する。
図８は、本実施形態に係る受信装置３０の構成を示す概略ブロック図である。
受信装置３０は、放送受信部３１と、拡声部３３と、入力部３４と、表示部３５と、記憶部３６と、制御部３７と、を含んで構成される。
【００２９】
放送受信部３１は、放送伝送路１１を介して送信装置１０からの多重化データを搬送する放送波を受信する。放送受信部３１は、例えば、チューナである。放送受信部３１は、放送伝送路１１を介して受信した放送波による受信信号を制御部３７に出力する。
拡声部３３は、制御部３７から入力される音声信号に基づく音声を再生する。拡声部３３は、例えば、複数のスピーカを含んで構成される。個々のスピーカは、各チャンネルの音声を再生するために用いられる。拡声部３３は、６個のスピーカを備えることで５．１ｃｈサラウンドの音声を再生することができる。
【００３０】
入力部３４は、ユーザの操作入力に応じた操作信号を取得し、取得した操作信号を制御部３７に出力する。入力部３４は、スイッチ、ボタン、つまみなどの物理的な部材を含んで構成されてよいし、マウス、タッチセンサなどの汎用の部材を含んで構成されてもよい。また、入力部３４は、他の機器から無線又は有線で伝送された操作信号が入力され、入力された操作信号を制御部３７に出力する入力インターフェース又は通信インターフェースを含んで構成されてもよい。他の機器は、例えば、専用の遠隔制御機器（リモートコントローラ）、汎用の携帯電話機（いわゆるスマートフォンを含む）などの電子機器である。
表示部３５は、制御部３７から取得した映像信号が示す映像を表示する。表示部３５は、例えば、液晶ディスプレイ、有機ＥＬ（Ｅｌｅｃｔｒｏ−ｌｕｍｉｎｅｓｃｅｎｃｅ）ディスプレイなどのディスプレイである。
【００３１】
記憶部３６は、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）などの記憶媒体を含んで構成される。記憶媒体として、その他に不揮発メモリ、ＨＤＤ（Ｈａｒｄ  Ｄｉｓｋ  Ｄｒｉｖｅ）などを含んでもよい。により構成される。記憶部３６は、制御部３７が実行する処理を記述した各種のプログラムや、それらの処理に用いられる各種のデータや、処理によって生成される各種のデータを記憶する。例えば、記憶部３６は、放送番組の映像を示す映像信号や、各種の通知情報を示す映像信号を記憶する。
【００３２】
制御部３７は、受信装置３０の動作を制御する。制御部３７は、復調部３７１と、分離部３７２と、音声処理部３７３と、映像処理部３７４と、を含んで構成される。また、音声処理部３７３は、音声復号部３７３１と、付加情報解析部３７３２と、ダイアログ検出部３７３３と、関連情報取得部３７３４と、ダイアログ音量設定部３７３５と、音量制御部３７３６と、を含んで構成される。制御部３７は、各種の処理を実行するＣＰＵ（Ｃｅｎｔｒａｌ  Ｐｒｏｃｅｓｓｉｎｇ  Ｕｎｉｔ）などの制御デバイスと、上述した記憶媒体を含んで構成される。制御部３７は、予め記憶媒体に記憶しておいた制御プログラムを読み出し、読み出した制御プログラムに記述される指令で指示される処理を実行してもよい。この実行により、復調部３７１と、分離部３７２と、音声処理部３７３と、映像処理部３７４の機能を実現する。
【００３３】
復調部３７１は、放送受信部３１から入力された受信信号を所定の復調方式（例えば、ＱＰＳＫ：Ｑｕａｄｒａｔｕｒｅ  Ｐｈａｓｅ  Ｓｈｉｆｔ  Ｋｅｙｉｎｇ）を用いて復調する。復調部３７１において用いられる復調方式は、送信装置１０で用いられた変調方式に対応する復調方式である。復調部３７１は、復調により得られた多重化データを分離部３７２に出力する。
【００３４】
分離部３７２には、放送で伝送された多重化データが復調部３７１から入力される。分離部３７２は、放送で伝送された多重化データから構成情報（ＰＳＩ／ＳＩ）と番組データ（ＴＳ）を抽出する。分離部３７２は、構成情報に含まれるプログラム情報（ＰＭＴ）に基づいて番組データの要素である音声データのストリーム（ＥＳ）と映像データのストリーム（ＥＳ）に分離する。分離部３７２は、分離した音声データのストリームを音声復号部３７３１と付加情報解析部３７３２に出力し、映像データのストリームを映像処理部３７４に出力する。
【００３５】
音声復号部３７３１は、分離部３７２から入力された音声データのストリームから、チャンネル指定情報で指定されるチャンネル数の音声データを抽出する。音声復号部３７３１は、各チャンネルの音声データを所定の音声復号方式（例えば、ＭＰＥＧ−４  ＡＡＣ）を用いて復号し、復号により得られた各チャンネルの音声信号を音量制御部３７３６に出力する。
【００３６】
付加情報解析部３７３２は、分離部３７２から入力された音声データのストリームにおいて音声データに付加された付加情報を解析し、ダイアログ情報の有無を判定する。具体的には、付加情報解析部３７３２は、当該ストリームに含まれる付加情報としてエレメント構成情報において設定されたエレメント構成情報の補助情報要素に指定された設定値を読み取る。付加情報解析部３７３２は、読み取った設定値が「１」である場合、ダイアログ情報があると判定し、読み取った設定値が「０」である場合、ダイアログ情報がないと判定する。ダイアログ情報があると判定するとき、付加情報解析部３７３２は、音声データのストリームからダイアログ情報を記述した補助情報を読み取り、読み取った補助情報をダイアログ検出部３７３３に出力する。
【００３７】
ダイアログ検出部３７３３は、付加情報解析部３７３２から入力された補助情報に基づいてダイアログ音声の有無を判定する。具体的には、ダイアログ検出部３７３３は、補助情報の一項目であるダイアログ存在情報に設定された設定値が「１」である場合、ダイアログ音声があると判定し、読み取った設定値が「０」である場合、ダイアログ音声がないと判定する。なお、ダイアログ検出部３７３３は、付加情報解析部３７３２においてダイアログ情報があると判定されたとき、ダイアログ音声があると判定し、ダイアログ情報がないと判定されたとき、ダイアログ音声がないと判定してもよい。
ダイアログ検出部３７３３は、ダイアログ音声があると判定するとき、入力された補助情報を関連情報取得部３７３４に出力する。
【００３８】
関連情報取得部３７３４は、放送番組の視聴に関する関連情報を取得する。本実施形態では、関連情報取得部３７３４は、ダイアログ検出部３７３３から入力された補助情報からダイアログ分類デフォルト利得情報を関連情報として取得する。関連情報取得部３７３４は、取得した関連情報をダイアログ音量設定部３７３５に出力する。
【００３９】
ダイアログ音量設定部３７３５は、関連情報取得部３７３４から入力された関連情報に基づき制御対象のダイアログ音声についてのデフォルト（初期）のダイアログ音量を定める。本実施形態では、ダイアログ音量設定部３７３５は、記憶部３６に予め記憶したダイアログ分類デフォルト利得情報を参照し、関連情報としてダイアログ分類デフォルト情報で指定される設定値に対応する相対レベルを読み取る。読み取った相対レベルが０ｄＢ以上である場合には、ダイアログ音量設定部３７３５は、ダイアログ音量を所定の基準値（例えば、０ｄＢ）に定め、他チャンネル音量を所定の基準値から相対レベルを減算して得られる値に定める。読み取った相対レベルが０ｄＢ未満である場合には、ダイアログ音量設定部３７３５は、ダイアログ音量を所定の基準値に相対レベルを加算した値に定め、他チャンネル音量を所定の基準値に定める。ダイアログ音量設定部３７３５は、定めたダイアログ音量と他チャンネル音量を示すデフォルト音量情報を音量制御部３７３６に出力する。
【００４０】
音量制御部３７３６は、音声復号部３７３１から入力された各チャンネルの音声信号に係る音量を制御する。ダイアログ音声があると判定される場合、音量制御部３７３６は、ダイアログ専用チャンネルの音量とその他のチャンネルの音量を、ダイアログ音量設定部３７３５から入力されるデフォルト音量情報が示すダイアログ音量と他チャンネル音量にそれぞれ定める。また、音量制御部３７３６は、入力部３４から入力される操作信号に基づいてダイアログ専用チャンネルの音量と他チャンネルの音量を個々に制御する。具体的には、音量制御部３７３６は、図３を参照して説明したように操作信号で指定される相対レベルと共通チャンネル音量に基づいてダイアログ音量と他チャンネル音量を定める。そして、音量制御部３７３６は、ダイアログ専用チャンネルの音声信号の信号値にダイアログ音量に対応する増幅率を乗算し、その他のチャンネル音声信号の信号値に他チャンネル音量に対応する増幅率を乗算する。音量制御部３７３６は、音量を制御した各チャンネルの音声信号を拡声部３３に出力することにより、各チャンネルの音声を再生させる。
【００４１】
なお、音量制御部３７３６は、ダイアログ音声の有無に関わらず、操作信号が示す共通チャンネル音量に基づいて全チャンネルの音量を一斉に制御する。ダイアログ音声がないと判定される場合には、音量制御部３７３６は、相対レベルに基づく音量の制御を行わない。
【００４２】
映像処理部３７４は、分離部３７２から入力される映像データのストリームから映像データを抽出する。映像処理部３７４は、抽出した映像データを所定の映像復号方式（例えば、ＭＰＥＧ−２  ビデオ）を用いて復号し、映像データを生成する。復号した映像データは、各時刻における映像（フレーム画像）を形成する信号値を示すデータである。また、映像処理部３７４は、復号した映像データを表示データとして表示部３５に出力するこことにより、表示部３５に表示データが示す映像を表示させる。
なお、映像処理部３７４は、復号した映像データが示す映像に各種の画面データが示す表示画面と、を合成して得られる合成映像を示す表示データを生成してもよい。映像処理部３７４は、生成した表示データを表示部３５に出力することにより、表示部３５に表示データが示す映像に表示画面を重ね合わせて表示させる。表示画面は、例えば、ダイアログ音声の提供、その種別、ダイアログ音量の調整方法などを通知するためのダイアログ通知画面である。ダイアログ音声があると判定されるとき、映像処理部３７４は、ダイアログ通知画面を表示部３５に表示させる。
【００４３】
（受信方法）
次に、本実施形態に係る受信処理について説明する。
図９は、本実施形態に係る受信処理を示すフローチャートである。
（ステップＳ１０１）分離部３７２は、放送で伝送された多重化データに含まれるプログラム情報に基づいて、当該多重化データから音声データのストリームを分離する。その後、ステップＳ１０２に進む。
（ステップＳ１０２）付加情報解析部３７３２は、分離された音声データのストリームから音声データに付加された付加情報を解析し、ダイアログ情報の有無を判定する。ダイアログ情報があると判定するとき、付加情報解析部３７３２は、ダイアログ情報を記述した補助情報を抽出する。その後、ステップＳ１０３に進む。
（ステップＳ１０３）音声復号部３７３１は、音声データのストリームに含まれる各チャンネルの音声データを復号し、音声信号を取得する。その後、ステップＳ１０４に進む。
【００４４】
（ステップＳ１０４）ダイアログ検出部３７３３は、抽出された補助情報に含まれるダイアログ存在情報に基づいてダイアログ音声の有無を判定する。ダイアログ音声があると判定されるとき（ステップＳ１０４  ＹＥＳ）、ステップＳ１０５に進む。ダイアログ音声がないと判定されるとき（ステップＳ１０４  ＮＯ）、図９に示す処理を終了する。
（ステップＳ１０５）関連情報取得部３７３４は、関連情報として補助情報からダイアログ分類デフォルト利得情報を取得する。その後、ステップＳ１０６に進む。
（ステップＳ１０６）ダイアログ音量設定部３７３５は、関連情報としてダイアログ分類デフォルト利得情報に基づいてデフォルトのダイアログ音量と他チャンネル音量を定める。その後、ステップＳ１０７に進む。
（ステップＳ１０７）音量制御部３７３６は、デフォルトのダイアログ音量、他チャンネル音量として、それぞれダイアログ音量設定部３７３５が定めたものに定める。その後、音量制御部３７３６は、操作信号に基づいてダイアログ専用チャンネルの音量と他チャンネルの音量を個々に制御する。拡声部３３は、音量が制御された各チャンネルの音声を再生する。その後、図９に示す処理を終了する。
【００４５】
以上に説明したように、本実施形態に係る受信装置３０は、放送番組の音声に関する補助情報に基づいて受信した音声データから所定のチャンネルで再生させるダイアログ音声を示す音声データを検出するダイアログ検出部３７３３を備える。受信装置３０は、複数のチャンネルのうちダイアログ音声を再生するダイアログ専用チャンネルの音量と、その他のチャンネルの音量をそれぞれ制御する音量制御部３７３６を備える。また、受信装置３０は、放送番組の視聴に関する関連情報に基づいてダイアログ専用チャンネルの音量を定めるダイアログ音量設定部３７３５を備える。
この構成により、ユーザの操作によらず、ダイアログ音声の音量が関連情報に応じた音量に設定される。ユーザが目標の音量を判断できない場合や、判断できても操作できない場合であっても、ダイアログ音声のデフォルト音量の設定においてユーザの操作を特段要しないので、ダイアログ音声の利便性が向上する。
【００４６】
また、補助情報は、関連情報としてダイアログ音声の分類に応じた前記ダイアログ専用チャンネルの相対音量として相対レベルを示す音量情報としてダイアログ分類デフォルト利得情報を含む。また、ダイアログ音量設定部３７３５は、ダイアログ分類デフォルト利得情報が示す相対レベルに基づいてダイアログ専用チャンネルの音量を定める。
この構成により、デフォルトのダイアログ音声の他の音声を基準とした相対音量が、ダイアログ音声の提供者、例えば、放送事業者、番組制作者がダイアログ音声の分類に基づいて意図した相対音量に制御される。そのため、ユーザがダイアログ音声の相対音量について目標値がわからない場合でも、放送番組におけるダイアログ音声の分類に適した音量でダイアログ音声を受聴することができる。
【００４７】
（第２の実施形態）
次に、本発明の第２の実施形態について説明する。第１の実施形態と同一の構成については、同一の符号を付してその説明を援用する。以下、主に第１の実施形態との差異点について説明する。
第１の実施形態では、関連情報取得部３７３４が関連情報としてダイアログ分類デフォルト情報を取得する場合を例にした。本実施形態では、関連情報取得部３７３４が関連情報としてダイアログ分類デフォルト情報に代えて、放送番組の属性を示す番組情報を取得する場合を例にする。
【００４８】
関連情報取得部３７３４は、分離部３７２が分離した構成情報から所定の項目の番組情報を取得する。関連情報取得部３７３４は、所定の項目として放送番組におけるダイアログ音声の相対的な役割の大きさに依存する項目、例えば、放送番組のジャンル、タイトル、出演者名のいずれかの項目又は組み合わせを抽出する。具体的には、ジャンルは、ＥＩＴの記述子領域に記述されるコンテント記述子により特定される。タイトル及び出演者名は、ＥＩＴの記述子領域に記述される短形式イベント記述子又は拡張形式イベント記述子により特定される。関連情報取得部３７３４は、抽出した番組情報をダイアログ音量設定部３７３５に出力する。
【００４９】
ダイアログ音量設定部３７３５は、関連情報取得部３７３４から入力された番組情報に基づいてダイアログ音量を定める。記憶部３６には、項目毎の番組情報と相対レベルとの対応関係を示す音量テーブルを予め記憶させておく。例えば、発話内容を容易に受聴させる方が好ましいジャンルについては、より高い相対レベル（例えば、＋１０ｄＢ）が与えられ、発話内容が比較的重要ではないジャンルについては、より低い相対レベル（例えば、−１０ｄＢ）が与えられる。例えば、ニュース、ドラマ、アニメーションについては、０ｄＢよりも有意に高い相対レベルが与えられ、スポーツ、音楽については、０ｄＢよりも有意に低い相対レベルが与えられる。また、ワイドショー、映画一般については、０ｄＢから所定範囲内（例えば、−３ｄＢ〜＋３ｄＢ）の相対レベルが与えられる。
【００５０】
より具体的には、ジャンルに係る音量テーブルには、ニュースについて＋１０ｄＢ、ドラマについて＋１０ｄＢ、映画（アクション映画）について−１０ｄＢなどの相対レベルが設定される。タイトルに係る音量テーブルには、歌謡○○について−１０ｄＢ、××ニュースについて＋１０ｄＢなどの相対レベルが設定される。また、出演者名に係る音量テーブルについては、俳優▲▲について＋１０ｄＢ、ニュースキャスタ□□について＋１０ｄＢなどの相対レベルが設定される。なお、字幕が付されている番組については、発話内容を容易に聴取させるために、音量テーブルにおいてジャンル等に関わらず０ｄＢよりも高い相対レベル（例えば、＋１０ｄＢ）が与えられてもよい。
ダイアログ音量設定部３７３５は、音量テーブルを参照して、入力された番組情報に対応する相対レベルを読み取る。ダイアログ音量設定部３７３５は、第１の実施形態と同様に、読み取った相対レベルに基づいて、デフォルトのダイアログ音量と他チャンネル音量を定める。
【００５１】
なお、複数の項目の番組情報が入力される場合には、ダイアログ音量設定部３７３５は、予め設定された優先順位に基づいて１つの項目を選択してもよい。優先順位は、例えば、ジャンル、タイトル、出演者の順序、もしくは、出演者、タイトル、ジャンルの順序である。ダイアログ音量設定部３７３５は、入力された複数の項目のうち、設定された優先順位が最も高い項目の番組情報に対応する相対レベルを定める。
【００５２】
（受信方法）
次に、本実施形態に係る受信処理について説明する。
図１０は、本実施形態に係る受信処理を示すフローチャートである。
図１０に示す受信処理は、ステップＳ１０１〜Ｓ１０４、Ｓ１０５ａ、Ｓ１０６ａ及びＳ１０７を有する。ステップＳ１０４においてダイアログ音声があると判定されるとき（ステップＳ１０４  ＹＥＳ）、ステップＳ１０５ａに進む。
【００５３】
（ステップＳ１０５ａ）関連情報取得部３７３４は、構成情報から所定の項目の番組情報を取得する。その後、ステップＳ１０６ａに進む。
（ステップＳ１０６ａ）ダイアログ音量設定部３７３５は、記憶部３６に予め記憶された音量テーブルを参照して取得された番組情報に対応する相対レベルを特定する。ダイアログ音量設定部３７３５は、特定した相対レベルに基づいてデフォルトのダイアログ音量と他チャンネル音量を定める。その後、ステップＳ１０７に進む。
【００５４】
以上に説明したように、本実施形態に係る受信装置３０において、ダイアログ音量設定部３７３５は、関連情報として放送番組の属性を示す番組情報に基づいてダイアログ専用チャンネルの音量を定める。
この構成により、デフォルトのダイアログ音声の他の音声を基準とした相対音量が、放送番組の属性に応じて制御される。そのため、ユーザがダイアログ音声の相対音量についての目標値がわからない場合でも、放送番組の属性に適した音量でダイアログ音声を受聴することができる。
【００５５】
（第３の実施形態）
次に、本発明の第３の実施形態について説明する。上述の実施形態と同一の構成については、同一の符号を付してその説明を援用する。以下、主に第２の実施形態との差異点について説明する。
第２の実施形態では、関連情報取得部３７３４が関連情報として番組情報を取得する場合を例にした。本実施形態では、関連情報取得部３７３４が関連情報としてさらにユーザ情報を取得する場合を例にする。
【００５６】
関連情報取得部３７３４は、記憶部３６に予め記憶されたユーザ情報を読み取る。ユーザ情報は、ユーザの属性、例えば、趣味、年齢、性別などの項目を含む情報である。ユーザ情報として、例えば、機器設定の一部の項目としてユーザの操作入力に応じて設定された情報が利用可能である。なお、関連情報取得部３７３４は、ユーザの操作入力に応じて入力部３４から入力された操作信号で指定されるユーザ情報を取得してもよい。関連情報取得部３７３４は、取得したユーザ情報をダイアログ音量設定部３７３５に出力する。
【００５７】
ダイアログ音量設定部３７３５は、関連情報取得部３７３４から入力されたユーザ情報に基づいてダイアログ音量を定める。記憶部３６には、ユーザ情報と嗜好番組情報とを対応付けた嗜好番組情報テーブルを予め記憶させておく。嗜好番組情報テーブルには、ユーザ情報と、そのユーザ情報が示すユーザ属性を有するユーザが嗜好する傾向がある番組の属性を示す番組情報が、嗜好番組情報として与えられる。例えば、趣味が英会話である場合には、言語として英語の音声が提供される番組が対応付けられる。性別が女性である場合には、ジャンルとしてファッション関連の番組が対応付けられる。年齢が５〜１２歳である場合には、アニメーション番組が対応付けられる。
【００５８】
ダイアログ音量設定部３７３５は、嗜好番組情報テーブルを参照して読み取ったユーザ属性に対応する嗜好番組情報を読み取る。ダイアログ音量設定部３７３５は、構成情報から取得した番組情報と、読み取った嗜好番組情報とが一致する項目の番組情報を特定する。そして、ダイアログ音量設定部３７３５は、音量テーブルを参照して特定した項目の番組情報に対応する相対レベルを読み取る。ダイアログ音量設定部３７３５は、第１の実施形態と同様に、読み取った相対レベルに基づいて、デフォルトのダイアログ音量と他チャンネル音量を定める。
【００５９】
（受信方法）
次に、本実施形態に係る受信処理について説明する。
図１１は、本実施形態に係る受信処理を示すフローチャートである。
図１１に示す受信処理は、ステップＳ１０１〜Ｓ１０４、Ｓ１０５ｂ、Ｓ１０６ｂ及びＳ１０７を有する。ステップＳ１０４においてダイアログ音声があると判定されるとき（ステップＳ１０４  ＹＥＳ）、ステップＳ１０５ｂに進む。
【００６０】
（ステップＳ１０５ｂ）関連情報取得部３７３４は、ユーザ情報を取得する。その後、ステップＳ１０６ｂに進む。
（ステップＳ１０６ｂ）ダイアログ音量設定部３７３５は、番組情報とさらにユーザ情報を参照してデフォルトのダイアログ音量と他チャンネル音量を定める。ここで、ダイアログ音量設定部３７３５は、記憶部３６に予め記憶された嗜好情報テーブルを参照し、ユーザ情報に対応する嗜好番組情報を特定する。ダイアログ音量設定部３７３５は、構成情報から取得された番組情報と特定した嗜好番組情報とが一致する項目の番組情報を特定する。ダイアログ音量設定部３７３５は、特定した番組情報に対応する相対レベルを特定する。ダイアログ音量設定部３７３５は、特定した相対レベルに基づいてデフォルトのダイアログ音量と他チャンネル音量を定める。その後、ステップＳ１０７に進む。
【００６１】
以上に説明したように、本実施形態に係る受信装置３０において、ダイアログ音量設定部３７３５は、前記音量設定部は、前記関連情報としてユーザの属性を示すユーザ情報に対応付けられた前記番組情報に基づいて前記ダイアログ専用チャンネルの音量を定める。
この構成により、番組の属性としてユーザの属性に対応した属性に応じて、デフォルトのダイアログ音声の他の音声を基準とした相対音量が制御される。そのため、ユーザ属性に応じて視聴される傾向がある放送番組の属性に応じた音量でダイアログ音声を受聴することができる。
【００６２】
（第４の実施形態）
次に、本発明の第４の実施形態について説明する。上述の実施形態と同一の構成については、同一の符号を付してその説明を援用する。以下、主に第１の実施形態との差異点について説明する。
第１の実施形態では、関連情報取得部３７３４が関連情報としてダイアログ分類デフォルト情報を取得する場合を例にした。本実施形態では、関連情報取得部３７３４が関連情報としてダイアログ分類デフォルト情報に代えて、日時情報を取得する場合を例にする。
【００６３】
関連情報取得部３７３４は、その時点（現在）の時刻を示す日時情報を取得する。関連情報取得部３７３４は、例えば、現時刻を取得するタイマーを含んで構成される。関連情報取得部３７３４は、取得した日時情報をダイアログ音量設定部３７３５に出力する。
【００６４】
ダイアログ音量設定部３７３５は、関連情報取得部３７３４から入力された日時情報に基づいてダイアログ音量を定める。記憶部３６には、時間帯と相対レベルとの対応関係を示す時間帯別音量テーブルを予め記憶させておく。例えば、全チャンネルの音量を小さくしながら発話内容を容易に受聴させる方が好ましい時間帯については、それ以外の時間帯よりの相対レベルよりも高い相対レベルが与えられる。時間帯別音量テーブルには、例えば、夜間（２０時〜４時）及び早朝（４時〜７時）については、相対レベルが＋１０ｄＢと与えられ、それ以外の時間帯については、相対レベルが０ｄＢと与えられる。
ダイアログ音量設定部３７３５は、時間帯別音量テーブルを参照して、日時情報が示す時刻が属する時間帯に対応する相対レベルを特定する。ダイアログ音量設定部３７３５は、第１の実施形態と同様に、特定した相対レベルに基づいて、デフォルトのダイアログ音量と他チャンネル音量を定める。
【００６５】
（受信方法）
次に、本実施形態に係る受信処理について説明する。
図１２は、本実施形態に係る受信処理を示すフローチャートである。
図１２に示す受信処理は、ステップＳ１０１〜Ｓ１０４、Ｓ１０５ｃ、Ｓ１０６ｃ及びＳ１０７を有する。ステップＳ１０４においてダイアログ音声があると判定されるとき（ステップＳ１０４  ＹＥＳ）、ステップＳ１０５ｃに進む。
【００６６】
（ステップＳ１０５ｃ）関連情報取得部３７３４は、日時情報を取得する。その後、ステップＳ１０６ｃに進む。
（ステップＳ１０６ｃ）ダイアログ音量設定部３７３５は、時間帯別音量テーブルを参照し、日時情報が示す時刻が属する時間帯に対応する相対レベルを特定する。ダイアログ音量設定部３７３５は、特定した相対レベルに基づいてデフォルトのダイアログ音量と他チャンネル音量を定める。その後、ステップＳ１０７に進む。
【００６７】
以上に説明したように、本実施形態に係る受信装置３０において、ダイアログ音量設定部３７３５は、関連情報として放送番組を提示する日時を示す日時情報に基づいてダイアログ専用チャンネルの音量を定める。
この構成により、デフォルトのダイアログ音声の他の音声を基準とした相対音量が、ユーザが放送番組を視聴する日時に応じて制御される。そのため、ユーザがダイアログ音声の相対音量についての目標値がわからない場合でも、その日時に適した音量でダイアログ音声を受聴することができる。
【００６８】
（第５の実施形態）
次に、本発明の第５の実施形態について説明する。上述の実施形態と同一の構成については、同一の符号を付してその説明を援用する。以下、主に第１の実施形態との差異点について説明する。
第１の実施形態では、関連情報取得部３７３４が関連情報としてダイアログ分類デフォルト情報を取得する場合を例にした。本実施形態では、関連情報取得部３７３４が関連情報としてダイアログ分類デフォルト情報に代えて、環境情報を取得する場合を例にする。
【００６９】
関連情報取得部３７３４は、受信装置３０の周囲における音声の再生環境を示す環境情報を取得する。環境情報として、例えば、受信装置３０が設置されている部屋の残響レベルと残響時間を取得する。関連情報取得部３７３４は、所定の試験音（例えば、スイープ音）を拡声部３３に再生させ、マイクロホン（図示せず）で収録された音声信号を解析することによって残響レベルと残響時間を取得することができる。また、関連情報取得部３７３４は、ユーザの操作入力に応じて入力部３４から入力された操作信号で指定される残響レベルと残響時間を取得してもよい。また、関連情報取得部３７３４は、環境情報として残響レベルと残響時間に代えて、又はそれらとともに騒音レベルを取得してもよい。関連情報取得部３７３４は、取得した残響情報をダイアログ音量設定部３７３５に出力する。
【００７０】
ダイアログ音量設定部３７３５は、関連情報取得部３７３４から入力された環境情報に基づいてダイアログ音量を定める。記憶部３６には、環境情報と相対レベルとの対応関係を示す環境音量テーブルを予め記憶させておく。環境音量テーブルには、発話内容の把握が強く阻害される環境ほど、より高い相対レベルが与えられる。例えば、残響レベルが高いほどより高い相対レベルが与えられ、残響時間が長いほど、より高い相対レベルが与えられる。また、騒音レベルが高いほど、より高い相対レベルが与えられる。
ダイアログ音量設定部３７３５は、環境音量テーブルを参照して、環境情報に対応する相対レベルを特定する。ダイアログ音量設定部３７３５は、第１の実施形態と同様に、特定した相対レベルに基づいて、デフォルトのダイアログ音量と他チャンネル音量を定める。
【００７１】
（受信方法）
次に、本実施形態に係る受信処理について説明する。
図１３は、本実施形態に係る受信処理を示すフローチャートである。
図１３に示す受信処理は、ステップＳ１０１〜Ｓ１０４、Ｓ１０５ｄ、Ｓ１０６ｄ及びＳ１０７を有する。ステップＳ１０４においてダイアログ音声があると判定されるとき（ステップＳ１０４  ＹＥＳ）、ステップＳ１０５ｄに進む。
【００７２】
（ステップＳ１０５ｄ）関連情報取得部３７３４は、環境情報を取得する。その後、ステップＳ１０６ｄに進む。
（ステップＳ１０６ｄ）ダイアログ音量設定部３７３５は、環境音量テーブルを参照し、取得された環境情報に対応する相対レベルを特定する。ダイアログ音量設定部３７３５は、特定した相対レベルに基づいてデフォルトのダイアログ音量と他チャンネル音量を定める。その後、ステップＳ１０７に進む。
【００７３】
以上に説明したように、本実施形態に係る受信装置３０において、ダイアログ音量設定部３７３５は、関連情報として音声の再生環境を示す環境情報に基づいてダイアログ専用チャンネルの音量を定める。
この構成により、デフォルトのダイアログ音声の他の音声を基準とした相対音量が、音声の再生環境に応じて制御される。そのため、ユーザがダイアログ音声の相対音量についての目標値がわからない場合でも、音声の再生環境に応じた適切な音量でダイアログ音声を受聴することができる。
【００７４】
（第６の実施形態）
次に、本発明の第６の実施形態について説明する。上述の実施形態と同一の構成については、同一の符号を付してその説明を援用する。以下、主に第１の実施形態との差異点について説明する。
【００７５】
ダイアログ検出部３７３３は、付加情報解析部３７３２から入力された補助情報に基づいて複数のダイアログ音声の存在を検出する場合がある。その場合には、ダイアログ検出部３７３３は、補助情報からそれぞれのダイアログ音声について設定された地域情報を抽出する。他方、ダイアログ検出部３７３３は、受信装置３０が設置された位置が属する設置地域情報を取得する。設置地域情報として、例えば、予め記憶部３６に記憶された機器設定の一部の項目としてユーザの操作入力に応じて設定された情報、例えば、郵便番号、住所などが利用可能である。なお、ダイアログ検出部３７３３は、ユーザの操作入力に応じて入力部３４から入力された操作信号で指定される設置位置情報を取得してもよい。
ダイアログ検出部３７３３は、複数のダイアログ音声のうち設置位置情報が示す設置位置が属する地域を示す地域情報が設定されたダイアログ音声を選択する。
そして、関連情報取得部３７３４、ダイアログ音量設定部３７３５、音量制御部３７３６は、ダイアログ検出部３７３３が選択したダイアログ音声について、上述した処理を行い、選択されなかったダイアログ音声について上述した処理を行わない。
【００７６】
上述したように補助情報は、複数のダイアログ音声について、それぞれのダイアログ音声を提供する地域を示す地域情報を含む。図１４に示す例では、ダイアログ音声毎に地域情報として地域コード（ｄｉａｌｏｇｕｅ＿ａｒｅａ＿ｃｏｄｅ）と郵便番号（ｄｉａｌｏｇｕｅ＿ｐｏｓｔａｌ＿ｃｏｄｅ）が含まれうる。ダイアログ検出部３７３３は、ダイアログ毎に設定された地域コード又は郵便番号を読み取る。なお、ダイアログ検出部３７３３には、地域コードと郵便番号のいずれを優先するかを示す優先情報が予め設定されてもよい。地域コードと郵便番号のいずれも設定されているダイアログ音声については、ダイアログ検出部３７３３は、優先情報に基づいて地域コードと郵便番号のいずれかを地域情報として選択してもよい。
【００７７】
（受信方法）
次に、本実施形態に係る受信処理について説明する。
図１５は、本実施形態に係る受信処理を示すフローチャートである。
図１５に示す受信処理は、ステップＳ１０１〜Ｓ１０３、Ｓ１０４ｅ及びＳ１０５〜Ｓ１０７を有する。ステップＳ１０３の処理の終了後、ステップＳ１０４ｅに進む。
【００７８】
（ステップＳ１０４ｅ）ダイアログ検出部３７３３は、補助情報に基づいて複数のダイアログ音声を検出する場合、複数のダイアログ音声のそれぞれについて設定された地域情報を抽出する。ダイアログ検出部３７３３は、受信装置３０の設置位置を示す設置位置情報を取得する。そして、ダイアログ検出部３７３３は、複数のダイアログ音声のうち設置位置情報が示す設置位置が属する地域を示す地域情報が設定されたダイアログ音声を選択する。選択されたダイアログ音声、つまり受信装置３０の設置位置が属する地域に係るダイアログ音声がある場合（ステップＳ１０４ｅ  ＹＥＳ）、ステップＳ１０５に進む。制御部３７は、ステップＳ１０５〜Ｓ１０７の処理をダイアログ音声毎に実行する。選択されたダイアログ音声がない場合（ステップＳ１０４ｅ  ＮＯ）、図１５に示す処理を終了する。
【００７９】
以上に説明したように、本実施形態では、補助情報はダイアログ音声が提供される地域を示す地域情報を含む。また、ダイアログ検出部３７３３は、受信装置３０の設置場所が、地域情報が示す地域に属する前記音声データを検出する。
この構成により、地域情報で指定される地域に属する設置場所に設置された受信装置３０において、そのダイアログ音声が受聴可能となる。そのため、ダイアログ音声の提供者、例えば、放送事業者、番組制作者が意図した地域のユーザにそのダイアログ音声が提供される。また、複数のダイアログ音声が提供される場合には、提供者が個々のダイアログ音声について相互に異なる地域を示す地域情報が設定することにより、個々のダイアログ音声がそれぞれ異なる地域に提供されうる。
【００８０】
（第７の実施形態）
上述の実施形態では、送信装置１０（図１）が放送伝送路１１を介して番組データを送信する放送システム１を例にした。本実施形態では、放送システム１が放送通信連携システムとして構成されている場合を例にする。
【００８１】
図１６は、本実施形態に係る放送システム１の概略ブロック図である。
本実施形態に係る放送システム１は、さらに通信装置２０を含んで構成される。
通信装置２０は、受信装置３０から要求信号を受信するとき、その応答としてアプリケーションプログラム（以下、アプリケーションと呼ぶ）を受信装置３０に送信する。このアプリケーションは、所定の記述言語（例えば、ＨＴＭＬ５）で記述され、放送番組を構成する一部のコンテンツのデータを含む。そのデータとして音声データが含まれることがある。このアプリケーションには、通知情報が含まれることがある。通信装置２０は、例えば、放送事業者又はコンテンツ提供者のサーバー装置である。
【００８２】
通信伝送路２１は、通信装置２０と受信装置３０との間で各種のデータを双方向的に伝送する伝送路である。通信伝送路２１は、例えば、インターネット、公衆無線通信網、等の広域通信網を含む。通信伝送路２１には、一部に構内通信網（ＬＡＮ：Ｌｏｃａｌ  Ａｒｅａ  Ｎｅｔｗｏｒｋ）や専用のアクセス網が含まれてもよい。なお、通信伝送路２１を介して各種のデータを伝送（又は、送信、受信）することを、「通信で伝送（又は、送信、受信）する」と呼ぶことがある。
【００８３】
本実施形態に係る送信装置１０は、さらに制御情報を取得する。制御情報は、アプリケーションの取得先情報として通信装置２０のＵＲＬ（Ｕｎｉｆｏｒｍ  Ｒｅｓｏｕｒｃｅ  Ｌｏｃａｔｏｒ）や、アプリケーションの起動、停止、等の実行を制御するための情報が含まれる。制御情報は、所定の形式を有するデータ、例えば、アプリケーション情報テーブル（ＡＩＴ：Ａｐｐｌｉｃａｔｉｏｎ  Ｉｎｆｏｒｍａｔｉｏｎ  Ｔａｂｌｅ）として表され、上述した構成情報に含まれる。従って、送信装置１０は、この構成情報を含んだ多重化データを受信装置３０に放送伝送路１１を介して送信する。
【００８４】
次に、本実施形態に係る受信装置３０の構成について説明する。
図１７は、本実施形態に係る受信装置３０の構成を示す概略ブロック図である。
本実施形態に係る受信装置３０は、さらに通信部３２と、アプリケーション処理部３７５とを備える。アプリケーション処理部３７５は、アプリケーション制御部３７５１と、アプリケーション実行部３７５２と、を備える。
【００８５】
分離部３７２は、多重化データから分離された構成情報から、さらに制御情報を分離し、分離した制御情報をアプリケーション制御部３７５１に出力する。
アプリケーション制御部３７５１は、分離部３７２から制御情報を取得し、取得した制御情報に基づいてアプリケーションを取得し、取得したアプリケーションに記述された命令で指示される処理を制御する。なお、以下の説明ではアプリケーションに記述された命令で指示される処理を行わせることを、「アプリケーションを実行する」と呼ぶ。
アプリケーション制御部３７５１は、制御情報で指示されたアプリケーションの取得先情報が示す通信装置２０にアプリケーションの取得を指示するための要求信号を生成する。アプリケーション制御部３７５１は、生成した要求信号を通信装置２０に通信部３２を介して送信する。アプリケーション制御部３７５１は、その応答として通信装置２０から通信部３２を介してアプリケーションを受信する。アプリケーション制御部３７５１は、受信したアプリケーションをアプリケーション実行部３７５２に出力する。アプリケーション制御部３７５１は、制御情報に基づいてアプリケーション実行部３７５２にアプリケーションの実行を開始させ、その実行を停止させる。
【００８６】
アプリケーション実行部３７５２は、アプリケーション制御部３７５１から入力されたアプリケーションを、アプリケーション制御部３７５１による制御に従って実行する。アプリケーション実行部３７５２は、例えば、当該アプリケーションに含まれる放送番組を構成する一部のコンテンツを示す番組データを抽出する。また、アプリケーション実行部３７５２は、当該アプリケーションで指定された取得先から通信伝送路２１を介して番組データを取得してもよい。アプリケーション実行部３７５２は、取得した番組データを分離部３７２に出力する。分離部３７２は、アプリケーション実行部３７５２から入力された番組データから音声データと映像データを分離し、分離した音声データを音声処理部３７３に出力し、分離した映像データを映像処理部３７４に出力する。よって、当該アプリケーションの実行により指定されたコンテンツが提示される。
【００８７】
以上に説明したように、本実施形態に係る受信装置３０によっても、ユーザの操作によらず、ダイアログ音声の音量が関連情報に応じた音量に設定される。ユーザが目標の音量を判断できない場合や、判断できても操作できない場合であっても、ダイアログ音声のデフォルト音量の設定においてユーザの操作を特段要しないので、ダイアログ音声の利便性が向上する。
また、補助情報は、音声データが伝送されるストリームにおいて当該音声データに付加される。そのため、本実施形態において取得した音声データについても、受信装置３０は、放送により取得した音声データと共通のダイアログ検出部３７３３、関連情報取得部３７３４、ダイアログ音量設定部３７３５、音量制御部３７３６、それぞれの機能を発揮することができる。
【００８８】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００８９】
例えば、第２〜第６の実施形態に係る受信装置３０は、第７の実施形態に係るアプリケーション処理部３７５を備えてもよい。また、第２〜第５及び第７の実施形態に係るダイアログ検出部３７３３が行う処理は、第６の実施形態に係るダイアログ検出部３７３３が行う処理を有してもよい。
【００９０】
また、複数のダイアログ音声の存在を示す補助情報において、ダイアログ分類情報とダイアログ分類デフォルト利得情報のいずれか又は両者は、全てのダイアログ音声について一括して指定されてもよいし、個々のダイアログ音声について指定されてもよい。ダイアログ分類デフォルト利得情報が一括して指定された全てのダイアログ音声について、ダイアログ音量設定部３７３５は、当該ダイアログ分類デフォルト利得情報に基づいてデフォルトのダイアログ音量を定める。ダイアログ分類情報が一括して指定された全てのダイアログ音声について、ダイアログ音量設定部３７３５は、個々に指定されたダイアログデフォルト利得情報に基づいて指定対象のダイアログ音声についてそれぞれデフォルトのダイアログ音量を定める。
【００９１】
上述した実施形態では、主に音声モードが５．１ｃｈサラウンドである場合を例にしたが、その他の多チャンネル音声に係る音声モードが用いられてもよい。音声モードは、例えば、２２．２ｃｈサラウンドであってもよい。また、上述した実施形態は、５．１ｃｈ、２２．２ｃｈなどの多チャンネルのサラウンド音声をより少ないチャンネルの音声モード（例えば、２．０ｃｈステレオ、２．１ｃｈステレオ）にダウンミックスする手段を備えた再生システムとして実現されてもよい。
また、受信装置３０との間で各種のデータが送受信可能であれば拡声部３３、入力部３４、及び表示部３５のいずれか又はそれらの組み合わせが受信装置３０の本体から省略され、別体として構成されてもよい。
【００９２】
上述した実施形態では、各種のデータを伝送する際、ＭＰＥＧ−２システムで規定された方式を用いる場合を例にしたが、その他の多重化・伝送方式が用いられてもよい。例えば、ＭＰＥＧ−Ｈで規定されたＭＭＴ（ＭＰＥＧ  Ｍｅｄｉａ  Ｔｒａｎｓｐｏｒｔ）によるメディアトランスポート方式が用いられてもよい。また、伝送に係るデータ形式、暗号化方式、符号化方式も、その伝送方式において利用可能なデータ形式、暗号化方式、符号化方式が用いられてもよい。
【００９３】
また、上述した実施形態における受信装置３０の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００９４】
なお、本発明は次の態様でも実施することができる。
（１）放送番組の音声に関する補助情報に基づいて受信した音声データから所定のチャンネルで再生させるダイアログ音声を示す音声データを検出するダイアログ検出部と、複数のチャンネルのうち前記ダイアログ音声を再生するダイアログ専用チャンネルの音量と、その他のチャンネルの音量をそれぞれ制御する音量制御部と、前記放送番組の視聴に関する関連情報に基づいて前記ダイアログ専用チャンネルの音量を定める音量設定部と、を備える受信装置。
【００９５】
（２）前記補助情報は、前記関連情報として前記ダイアログ音声の分類に応じた前記ダイアログ専用チャンネルの相対音量を示す音量情報を含み、前記音量設定部は、前記音量情報に基づいて前記ダイアログ専用チャンネルの音量を定める（１）の受信装置。
【００９６】
（３）前記音量設定部は、前記関連情報として前記放送番組の属性を示す番組情報に応じた前記ダイアログ専用チャンネルの相対音量に基づいて前記ダイアログ専用チャンネルの音量を定める（１）の受信装置。
【００９７】
（４）前記音量設定部は、前記関連情報としてユーザの属性を示すユーザ情報に対応付けられた前記番組情報に基づいて前記ダイアログ専用チャンネルの音量を定める（３）の受信装置。
【００９８】
（５）前記音量設定部は、前記関連情報として前記放送番組を提示する日時を示す日時情報に基づいて前記ダイアログ専用チャンネルの音量を定める（１）から（４）のいずれかの受信装置。
【００９９】
（６）前記音量設定部は、前記関連情報として音声の再生環境を示す環境情報に基づいて前記ダイアログ専用チャンネルの音量を定める（１）から（５）のいずれかの受信装置。
【０１００】
（７）前記補助情報は、前記ダイアログ音声が提供される地域を示す地域情報を含み、
前記ダイアログ検出部は、前記受信装置の設置場所が、前記地域情報が示す地域に属する前記音声データを検出する（１）から（６）のいずれかの受信装置。
【０１０１】
（８）受信装置における受信方法であって、放送番組の音声に関する補助情報に基づいて受信した音声データから所定のチャンネルで再生させるダイアログ音声を示す音声データを検出するダイアログ検出過程と、複数のチャンネルのうち前記ダイアログ音声を再生するダイアログ専用チャンネルの音量と、その他のチャンネルの音量をそれぞれ制御する音量制御過程と、前記放送番組の視聴に関する関連情報に基づいて前記ダイアログ専用チャンネルの音量を定める音量設定過程と、を有する受信方法。
【０１０２】
（９）受信装置のコンピュータに、放送番組の音声に関する補助情報に基づいて受信した音声データから所定のチャンネルで再生させるダイアログ音声を示す音声データを検出するダイアログ検出手順、複数のチャンネルのうち前記ダイアログ音声を再生するダイアログ専用チャンネルの音量と、その他のチャンネルの音量をそれぞれ制御する音量制御手順、前記放送番組の視聴に関する関連情報に基づいて前記ダイアログ専用チャンネルの音量を定める音量設定手順、を実行させるためのプログラム。
【符号の説明】
【０１０３】
１…放送システム、１０…送信装置、１１…放送伝送路、１２…放送衛星、２０…通信装置、２１…通信伝送路、３０…受信装置、３１…放送受信部、３２…通信部、３３…拡声部、３４…入力部、３５…表示部、３６…記憶部、３７…制御部、３７１…復調部、３７２…分離部、３７３…音声処理部、３７３１…音声復号部、３７３２…付加情報解析部、３７３３…ダイアログ検出部、３７３４…関連情報取得部、３７３５…ダイアログ音量設定部、３７３６…音量制御部、３７４…映像処理部、３７５…アプリケーション処理部、３７５１…アプリケーション制御部、３７５２…アプリケーション実行部
【図１】
0006440314.tif 000002
【図２】
0006440314.tif 000003
【図３】
0006440314.tif 000004
【図４】
0006440314.tif 000005
【図５】
0006440314.tif 000006
【図６】
0006440314.tif 000007
【図７】
0006440314.tif 000008
【図８】
0006440314.tif 000009
【図９】
0006440314.tif 000010
【図１０】
0006440314.tif 000011
【図１１】
0006440314.tif 000012
【図１２】
0006440314.tif 000013
【図１３】
0006440314.tif 000014
【図１４】
0006440314.tif 000015
【図１５】
0006440314.tif 000016
【図１６】
0006440314.tif 000017
【図１７】
0006440314.tif 000018